(57)【要約】【課題】被記録媒体の幅が増大した場合にも損傷を抑えるとともに、巻き解けを抑えることができ、取り扱いが容易なロール保持部材と、それを備えた画像記録装置を提供する。【解決手段】  中空軸部の周囲に被記録媒体が巻かれて構成されたロール体を保持するためのロール保持部材５が、中空軸部の内径に合わせて径方向に変位可能であり中空軸部の内周面に当接する当接部材８と、ロール体の端面をガイドするガイド面を有するフランジ部７と、当接部材８の径方向の変位に連動して、ガイド面上において中空軸部の径方向内側の位置と中空軸部より径方向外側に突出する位置との間を移動するストッパ８ｃとを有する。【選択図】図５
2013124141.tif 000002
【特許請求の範囲】
【請求項１】
中空軸部の周囲に被記録媒体が巻かれて構成されたロール体を保持するためのロール保持部材であって、
前記中空軸部の内径に合わせて径方向に変位可能であり前記中空軸部の内周面に当接する当接部材と、
前記ロール体の端面をガイドするガイド面を有するフランジ部と、
前記当接部材の径方向の変位に連動して、前記ガイド面上において前記中空軸部の径方向内側の位置と前記中空軸部より径方向外側に突出する位置との間を移動するストッパと
を有する、ロール保持部材。
【請求項２】
前記ストッパは、前記当接部材の径方向内側への変位に連動して前記中空軸部より径方向外側に突出する位置に移動し、前記当接部材の径方向外側への変位に連動して前記中空軸部の径方向内側の位置に移動する、請求項１に記載のロール保持部材。
【請求項３】
前記ストッパは前記当接部材に設けられている、請求項１または２に記載のロール保持部材。
【請求項４】
前記中空軸部の内部に差し込まれる差込部と、回転溝部が設けられた回転カムとをさらに有し、
前記差込部の外周部分には切り欠き部が設けられており、
前記当接部材は、前記回転溝部に摺動可能に係合する突起部を有し、前記差込部の前記切り欠き部に回転可能に取り付けられており、
前記回転カムの回転によって、前記突起部の前記回転溝部の内部での摺動と同時に前記当接部材が回転して、前記ストッパが、前記切り欠き部の内部に収容された位置と、前記切り欠き部の外側であって前記差込部の外周よりも外側の位置との間で移動する、請求項３に記載のロール保持部材。
【請求項５】
請求項１から４のいずれか１項に記載のロール保持部材と、前記ロール体から繰り出された被記録媒体を搬送するための搬送手段と、前記搬送手段により搬送された前記被記録媒体に画像を記録するための記録ヘッドと、を有し、
同一の形状および構成を有する２つの前記ロール保持部材が、前記中空軸部の両端部にそれぞれ取り付けられる、画像記録装置。
【発明の詳細な説明】
【技術分野】
【０００１】
本発明は、被記録媒体からなるロール体を保持するロール保持部材と、それを備えた画像記録装置に関する。
【背景技術】
【０００２】
従来、プリンタ、複写機、ファクシミリ等の画像記録装置は、給紙部から供給された被記録媒体に、記録ヘッドが画像データに基づいて画像を記録する構成である。特に、大きなサイズの記録物を作製する画像記録装置では、長尺の被記録媒体が巻かれて構成されたロール体を用いるものが多い。
【０００３】
ロール体を保持し、そのロール体から被記録媒体を繰り出して供給する給紙部は、被記録媒体の全幅にわたって延びるパイプ軸と、そのパイプ軸が挿入される中空のスプール軸とを有している。そして、パイプ軸の一端と、スプール軸の、パイプ軸の他端側の位置とに、フランジ部を有するガイド部材がそれぞれ取り付けられている。周囲に被記録媒体が巻かれてロール体の中心に位置する中空軸部（紙管）の内部にスプール軸およびパイプ軸が挿入されると、ロール体は、端面が両フランジ部で挟まれた状態で回転可能に保持される。ロール体を安定して保持するためには、ガイド部材の、紙管内に挿入される差込部の外径が、紙管の内径と一致することが好ましい。ロール体の中心に位置する紙管の内径は必ずしも一定ではないため、差込部の外径が異なる複数のガイド部材を用意して選択的に使用したり、差込部に別部品を取り付けて径を拡大したりして、紙管の内径の変化に対応している。
【０００４】
通常、パイプ軸の一端に取り付けられたガイド部材は、ロール体の位置決めの基準となり、フランジ部のガイド面がロール体の端面に当接してガイドする。これによりロール体を位置決めするとともに、ガイド面とロール体の端面との間の摩擦力により、ロール体から被記録媒体が巻き解けるのを抑制している。一方、スプール軸に取り付けられてパイプ軸の他端側に位置するガイド部材のフランジ部には、ガイド面がロール体の端面に当接するものと、当接しないものとがある。
【０００５】
一般的に、薄く剛度が低い被記録媒体においては、温度や湿度などにより幅が増大することがある。ロール体の両端がいずれもフランジ部のガイド面に当接していると、被記録媒体の幅が広がった場合にその逃げ場がなく、被記録媒体が損傷し易い。特にロール体の外周側で被記録媒体が温度や湿度などの影響を受けやすく、幅が増大して損傷し易い。そのため、スプール軸に取り付けられたガイド部材のフランジ部のガイド面をロール体の端面に当接させずに離して位置させることにより、被記録媒体の幅が広がった部分の逃げ場となる空間を設け、被記録媒体の損傷を防いでいる。
【０００６】
一方、厚く剛度が高い被記録媒体は、ロール体からの巻き解けが発生し易い。被記録媒体に良好な画像を記録するためには、被記録媒体のテンションをなるべく小さくして、搬送機構に対する滑りを抑える必要がある。しかし、テンションを小さくすると、厚く剛度が高い被記録媒体ではロール体からの巻き解けが発生してしまう。そのため、スプール軸に取り付けられたガイド部材のフランジ部のガイド面をロール体の端面に当接させて、ガイド面とロール体の端面との間の摩擦力により、ロール体からの被記録媒体の巻き解けを抑えている。
【０００７】
このようにフランジ部のガイド面とロール体の端面とを当接させたり離れさせたりするための切り換え機構を備えた画像記録装置がある（特許文献１参照）。これによると、ロール体を画像記録装置に装着する前は、フランジ部のガイド面とロール体の端面とを当接させ、ロール体を画像記録装置に装着すると、ガイド面とロール体の端面とを離れさせることができる。
【先行技術文献】
【特許文献】
【０００８】
【特許文献１】特開2009-83964号公報
【発明の概要】
【発明が解決しようとする課題】
【０００９】
前記した構成では、中空のスプール軸の内部にパイプ軸が挿入されている。被記録媒体の幅が大きい場合には、長いスプール軸に長いパイプ軸を挿入しなければならず手間がかかる。そこで、前記した構成のガイド部材を兼ねる短いロール保持部材をロール体の両端にそれぞれ取り付け、長いパイプ軸およびスプール軸をなくした構成が考えられている。このように、ロール体の両端にそれぞれ、短いロール保持部材を取り付ける構成の場合、両端部（ロール体の位置決めの基準側とその反対側）でロール保持部材の構成が異なると、ユーザーが誤って各ロール保持部材を反対に取り付ける可能性がある。そのため、両端部に取り付けられるロール保持部材を、同一の形状で同一の構成にすることが好ましい。
【００１０】
また、ロール体の紙管の内径の大きさに応じて異なるロール保持部材を用いたり、差込部に別部品を取り付けたりすると、ロール体のセットの操作性が悪くなる。従って、ロール体の紙管の内径の変化への対応と、ガイド面とロール体の端面との当接と離間の切り換えの操作性の向上が求められている。
【００１１】
本発明は、上記のような課題に鑑みて、被記録媒体の幅が増大した場合にも損傷しないようにするとともに、ロール体からの巻き解けを抑えることができ、取り扱いが容易なロール保持部材と、それを備えた画像記録装置を提供することを目的とする。
【課題を解決するための手段】
【００１２】
本発明の、中空軸部の周囲に被記録媒体が巻かれて構成されたロール体を保持するためのロール保持部材は、中空軸部の内径に合わせて径方向に変位可能であり中空軸部の内周面に当接する当接部材と、ロール体の端面をガイドするガイド面を有するフランジ部と、当接部材の径方向の変位に連動して、ガイド面上において中空軸部の径方向内側の位置と中空軸部より径方向外側に突出する位置との間を移動するストッパとを有する。
【００１３】
ストッパは、当接部材の径方向内側への変位に連動して中空軸部より径方向外側に突出する位置に移動し、当接部材の径方向外側への変位に連動して中空軸部の径方向内側の位置に移動するものであってよい。このストッパは当接部材に設けられていてよい。
【００１４】
ロール保持部材は、中空軸部の内部に差し込まれる差込部と、回転溝部が設けられた回転カムとをさらに有し、差込部の外周部分には切り欠き部が設けられており、当接部材は、回転溝部に摺動可能に係合する突起部を有し、差込部の切り欠き部に回転可能に取り付けられており、回転カムの回転によって、突起部の回転溝部の内部での摺動と同時に当接部材が回転して、ストッパが、切り欠き部の内部に収容された位置と、切り欠き部の外側であって差込部の外周よりも外側の位置との間で移動するように構成されていてよい。
【００１５】
本発明の画像記録装置は、前記した構成のロール保持部材と、ロール体から繰り出された被記録媒体を搬送するための搬送手段と、搬送手段により搬送された被記録媒体に画像を記録するための記録ヘッドと、を有し、同一の形状および構成を有する２つのロール保持部材が、中空軸部の両端部にそれぞれ取り付けられる。
【発明の効果】
【００１６】
本発明によれば、被記録媒体の全幅にわたって延びるパイプ軸とスプール軸が存在せず、１対の短いロール保持部材のみによってロール体を保持できるため、構成が簡単で操作性が良好である。さらに、１対のロール保持部材をいずれも同じ形状および構成にすることにより、取り付けの制約がなくなりユーザーの取り付け作業が容易になる。また、ロール体の中空軸部の内径の変化への対応と、ガイド面とロール体の端面の当接および離間の切り換えの操作性が向上する。
【図面の簡単な説明】
【００１７】
【図１】本発明のロール保持部材を備えた画像記録装置の一実施形態であるインクジェットプリンタを概略的に示す模式的断面図である。
【図２】図１に示す画像記録装置の、給紙部側から見た斜視図である。
【図３】ロール保持部材によるロール体の保持状態を示す斜視図である。
【図４】本発明のロール保持部材を示す斜視図である。
【図５】図４に示すロール保持部材の分解斜視図である。
【図６】（Ａ）は図４に示すロール保持部材の、複数の当接部材が形成する円が小径である状態を示す平面図、（Ｂ）はその側面図である。
【図７】（Ａ）は図６に示すロール保持部材を小径の中空軸部を含むロール体に装着した状態を示す平面断面図、（Ｂ）はそのＡ−Ａ線断面図である。
【図８】（Ａ）は図４に示すロール保持部材の、複数の当接部材が形成する円が大径である状態を示す平面図、（Ｂ）はその側面図である。
【図９】（Ａ）は図８に示すロール保持部材を大径の中空軸部を含むロール体に装着した状態を示す平面断面図、（Ｂ）はそのＢ−Ｂ線断面図である。
【発明を実施するための形態】
【００１８】
以下、本発明の実施の形態について図面を参照して説明する。
【００１９】
図１，２には、本発明のロール保持部材を備えた画像記録装置１００の一実施形態であるインクジェットプリンタが示されている。画像記録装置１００は、ロール体１０１から繰り出された被記録媒体１０１’に画像を記録する装置であり、内部に、記録ヘッド１、搬送機構２、プラテン３、給紙部４などを備えている。この画像記録装置１００では、給紙部４の１対のロール保持部材５によって回転自在に保持されたロール体１０１から、被記録媒体１０１’が順次繰り出され、搬送機構２によって記録ヘッド１へ向けて給送される。給送されて記録ヘッド１とプラテン３との間に位置する被記録媒体１０１’に対し、記録ヘッド１からインクが吐出されて画像が記録される。画像が記録された被記録媒体１０１’は、必要に応じて切断され、さらに搬送されて画像記録装置１００から排出される。
【００２０】
記録手段である記録ヘッド１は、画像情報に基づいて被記録媒体１０１’に画像を記録するものである。インクジェットプリンタの場合、記録ヘッド１は、画像情報に基づいて、複数の吐出口から被記録媒体１０１’に適宜にインクを吐出して記録を行う。この画像記録装置１００において用いられる被記録媒体１０１’は、写真調印画紙を含む紙や樹脂シートや皮革など画像記録可能な種々の材質からなるものであってよい。
【００２１】
次に、図３〜５を参照して、ロール保持部材５の構成について説明する。図３，４に示すロール保持部材５は、中空軸部（紙管）１０２の周囲に被記録媒体１０１’が巻かれることによって構成されたロール体１０１を保持する。ロール保持部材５は、ロール体１０１の端部から紙管１０２内に差し込まれる略円柱状の差込部６と、有底円筒状のフランジ部７とを有している。フランジ部７は、ロール体１０１の端面に対向するガイド面７ａを含む円板部７ｂと、円板部７ｂの外周縁からガイド面７ａと反対側にガイド面７ａに垂直に延びる環状枠部７ｃとを有している。差込部６の外周部分には複数の切り欠き部６ａが設けられ、この切り欠き部６ａ内に、紙管１０２の内周面に当接する当接部材８がそれぞれ回転可能に取り付けられている。そして、フランジ部７の円板部７ｂには、差込部６の切り欠き部６ａにつながる凹部７ｄが設けられている。
【００２２】
図５に示すように、ロール保持部材５の内部には、当接部材８の回転軸８ａを支持する円板状の固定部材９と、当接部材８を回転させるための回転可能な円板状の回転カム１０とが重ねて配置されている。固定部材９と回転カム１０には、互いに対向する位置に固定溝部９ａと回転溝部１０ａがそれぞれ設けられている。そして、当接部材８の突起部８ｂが、固定部材９の固定溝部９ａおよび回転カム１０の回転溝部１０ａに摺動可能に係合し、当接部材８は、固定部材９によって回転軸８ａを中心として回転可能に保持されている。また、当接部材８は、ガイド面７ａとロール体１０１の端面を離間させるための段差部であるストッパ８ｃを備えている。当接部材８は、回転軸８ａが固定部材９に支持された状態で、突起部８ｂが固定溝部９ａおよび回転溝部１０ａ内を摺動することによって、回転軸８ａを中心として回転する。この回転によって、当接部８に設けられたストッパ８ｃがガイド面上で差込部６の外側に位置する状態（図４参照）と、ストッパ８ｃが差込部６の切り欠き部６ａ内に収容されて差込部６の外側に突出しない状態とが切り換えられる。これは、実質的に、当接部８が径方向に変位可能であることを意味する。なお、差込部６の切り欠き部６ａは、当接部材８の回転により内周側に移動したストッパ８ｃを収容可能な形状に形成されている。
【００２３】
固定部材９と回転カム１０は、フランジ部７の環状枠部７ｃの内側で、カバー１１に覆われて保持されている。ただし、回転カム１０に設けられている、手動で回転カム１０を回転させるための取っ手１０ｂは、カバー１１の外側に突出している。カバー１１の側面には、取っ手１０ｂを所定の範囲だけ移動可能にするためのスリット（図示せず）が設けられている。
【００２４】
差込部６をロール体１０１の紙管１０２内に挿入し当接部材８を紙管１０２の内周面に当接させることによって、このロール保持部材５によりロール体１０１を保持することができる。
【００２５】
次に、図６〜図９を参照して、ロール保持部材５をロール体１０１に装着してロール体１０１を保持する一連の動作を説明する。なお、図６〜９では、ロール保持部材５の構成を理解しやすくするために、カバー１１は図示省略している。
【００２６】
ロール体１０１の中空軸部である紙管１０２は、被記録媒体１０１’の種類によって径が異なっている。一般に、薄く剛度が小さい被記録媒体１０１’にはカール癖が付きにくいため、スペース効率が良い小径の紙管１０２ａが用いられる。また、厚く剛度が大きい被記録媒体１０１’にはカール癖が付き易いため、曲げが小さくて済む大径の紙管１０２ｂが用いられる。紙管１０２の内径に合わせて、ロール保持部材５の当接部材８を径方向に変位させる必要がある。
【００２７】
まず、ロール保持部材５を小径の紙管１０２ａに装着する一連の動作を、図６〜７を参照して説明する。
【００２８】
図６（Ａ），（Ｂ）に示すように、回転カム１０が時計回り方向に回転させられ、当接部材８の突起部８ｂが回転カム１０の回転溝部１０ａの内周側に位置しているとき、当接部材８は差込部６内で径方向に内側の位置にある。すなわち、複数の当接部材８の、差込部６の中心からの距離（複数の当接部材８が形成する円の半径）が小さくなっている。また、当接部材８のストッパ８ｃは、ガイド面７ａ上において、差込部６の外周から径方向外側に突出している。この状態において、図７（Ａ），（Ｂ）に示すように、差込部６が小径の紙管１０２ａ内に差し込まれる。差込部６を小径の紙管１０２ａに差し込んでいくと、紙管１０２ａの端面がストッパ８ｃに当接し、ロール体１０１ａの幅方向の位置が決められる。ストッパ８ｃがガイド面７ａ上において差込部６の外周（および紙管１０２ａの内周）から径方向外側に突出した位置にあって紙管１０２ａの端面に当接するため、ガイド面７ａとロール体１０１ａの端面は離間して両面の間に空間１０３が存在する。複数の当接部材８は、小径の紙管１０２ａの内周面にそれぞれ当接し、ロール保持部材５によって、小径の紙管１０２ａを含むロール体１０１ａが保持される。
【００２９】
これにより、剛度が小さく折れ等の損傷が発生しやすい薄い被記録媒体１０１’において、温度や湿度などにより幅が増大した場合であっても、空間１０３が被記録媒体１０１’の逃げ場となり、被記録媒体１０１’の損傷が防止できる。薄い被記録媒体１０１’はロール体１０１ａからの巻き解けが発生しにくいため、ガイド面７ａをロール体１０１ａの端面に当接させなくても、巻き解けによる位置ずれは発生しにくい。
【００３０】
このようにして、ロール保持部材５を、小径の紙管１０２ａを有するロール体１０１ａの両端部にそれぞれ装着して、ロール体１０１ａを保持することができる。
【００３１】
次に、ロール保持部材５を大径の紙管１０２ｂに装着する一連の動作を、図８〜９を参照して説明する。
【００３２】
図６（Ａ），（Ｂ）に示す状態から、回転カム１０が反時計回り方向に回転させられると、当接部材８が回転軸８ａを中心として回転しながら、突起部８ｂが回転カム１０の回転溝部１０ａに案内されて摺動する。その結果、図８（Ａ），（Ｂ）に示すように、突起部８ｂが回転溝部１０ａの外周側に位置する。すなわち、複数の当接部材８の、差込部６の中心からの距離（複数の当接部材８が形成する円の半径）が大きくなる。また、回転カム１０の回転時に、当接部材８は回転軸８ａを中心として回転しながら突起部８ｂが回転溝部１０ａ内を摺動する。その結果、図９（Ａ），（Ｂ）に示すように、当接部材８のストッパ８ｃは径方向内側に移動し、ガイド面７ａ上において、差込部６の切り欠き部６ａ内に収容される。すなわち、ストッパ８ｃは、差込部６の外周より径方向外側に突出しない（紙管１０２ｂの径方向内側に位置する）。この状態において、差込部６は大径の紙管１０２ｂの中空部内に差し込まれる。差込部６を大径の紙管１０２ｂに差し込んでいくと、紙管１０２ｂの端面は、ストッパ８ｃに当接することなくガイド面７ａに当接し、ロール体１０１ｂの幅方向の位置が決められる。従って、ロール体１０１ｂの端面がガイド面７ａに当接した状態である。複数の当接部材８は、大径の紙管１０２ｂの内周面にそれぞれ当接し、ロール保持部材５によって、大径の紙管１０２ｂを含むロール体１０１ｂが保持される。
【００３３】
これにより、剛度が大きく巻き解けが発生しやすい厚い被記録媒体１０１’であっても、ロール体１０１ｂの端面がガイド面７ａに当接するため、ガイド面７ａとロール体１０１ｂの端面との摩擦力により、巻き解けを抑制できる。また、ロール体１０１ｂの位置決めを確実に行える。厚い被記録媒体１０１’は、折れ等の損傷が発生しにくいため、ロール体１０１ｂの端面とガイド面７ａを当接させても、被記録媒体１０１’の幅の増大等による損傷は発生しにくい。
【００３４】
このようにして、ロール保持部材５を、大径の紙管１０２ｂを有するロール体１０１ｂの両端部にそれぞれ装着して、ロール体１０１ｂを保持することができる。
【００３５】
以上説明したように、本実施形態では、小径の紙管１０２ａに薄い被記録媒体１０１’が巻かれて構成されたロール体１０１ａに関しては、当接部材８を差込部６の径方向内側に位置させて小径の紙管１０２ａの内周面に当接させる。こうして、ロール保持部材５によってロール体１０１ａを保持する。そして、本実施形態では、当接部材８が回転カム１０の回転溝部１０ａに係合する突起部８ｂを有するとともに、固定部材９に支持された回転軸８ａを中心として回転可能である。従って、当接部材８が差込部６の径方向内側に変位するのと連動して、ストッパ８ｃが差込部６の外周（および紙管１０２ａの外周）よりも径方向外側に突出する位置に移動し、ガイド面７ａとロール体１０１ａの端面とを離れさせる。その結果、小径の紙管１０２ａに巻かれた薄い被記録媒体１０１’が伸びたとしても、伸びた部分を空間１０３に逃がすことができ損傷を防止することができる。
【００３６】
一方、大径の紙管１０２ｂに厚い被記録媒体１０１’が巻かれて構成されたロール体１０１ｂに関しては、当接部材８を差込部６の径方向外側に変位させて大径の紙管１０２ｂの内周面に当接させ、ロール体１０１ｂを保持する。そして、当接部材８が差込部６の径方向外側に変位するのと連動して、ストッパ８ｃが差込部６の外周よりも径方向外側に突出しない位置（紙管１０２ｂの内周の径方向内側であって、切り欠き部６ａ内に収容される位置）に移動する。従って、ガイド面７ａとロール体１０１ｂの端面が当接する。その結果、ガイド面７ａとロール体１０１ｂの端面との摩擦力により、被記録媒体１０１’のロール体１０１ｂからの巻き解けを防止することができる。
【００３７】
本発明者は、通常、薄い被記録媒体１０１’は小径の紙管１０２ａに巻かれ、厚い被記録媒体１０１’は大径の紙管１０２ｂに巻かれるという状況に着目した。本実施形態では、その状況に鑑みて、複数の当接部材８が形成する円の半径の変更と、ストッパ８ｃの、差込部６の外周（および紙管１０２の内周）の径方向外側への突出と後退との切換とを同時に実行できるようにしている。特に、当接部材８を回転可能に支持することと、当接部材８の突起部８ｂを回転カム１０の回転溝部１０ａに摺動可能に係合させることで、簡単な構成で極めて容易に、前記した径の変更とストッパ８ｃの突出および後退の切換とを連動させることができる。
【００３８】
また、ロール体１０１の両端部に同一の形状および構成のロール保持部材５を装着する構成にして、取り付け位置の確認を不要にして作業を容易にすることができる。
【００３９】
本実施形態では、所定の内径を有する紙管１０２ａを含むロール体１０１ａと、紙管１０２ａの内径よりも大きい所定の内径を有する紙管１０２ｂを含むロール体１０１ｂの、２種類のロール体を保持するための機構について説明した。仮に紙管１０２ａの内径よりも大きく紙管１０２ｂの内径よりも小さい内径を有する紙管１０２を用いる場合には、回転カム１０の時計回り方向または反時計回り方向への回転角度を調整して、当接部材８がその紙管１０２の内周面に当接するようにすればよい。その場合、ストッパ８ｃが差込部６の外周（および紙管の内周）の径方向外側に突出して、ガイド面７ａとロール体１０１の端面との間に空間１０３が生じる可能性が高い。しかし、その紙管１０２の内径が、小径の紙管１０２ａの内径に近く、ストッパ８ｃが差込部６の外周（および紙管１０２の内周）の径方向内側に位置してガイド面７ａとロール体１０１の端面とが当接しても構わない。
【符号の説明】
【００４０】
１  記録ヘッド
５  ロール保持部材
６  差込部
６ａ  切り欠き部
７  フランジ部
７ａ  ガイド面
８  当接部材
８ａ  回転軸
８ｂ  突起部
８ｃ  ストッパ（段差部）
１０  回転カム
１０ａ  回転溝部
１００  画像記録装置
１０１  ロール体
１０１ａ  薄い被記録媒体からなるロール体
１０１ｂ  厚い被記録媒体からなるロール体
１０１’  被記録媒体
１０２  紙管（中空軸部）
１０２ａ  小径の紙管
１０２ｂ  大径の紙管
【図１】
2013124141.tif 000003
【図２】
2013124141.tif 000004
【図３】
2013124141.tif 000005
【図４】
2013124141.tif 000006
【図５】
2013124141.tif 000007
【図６】
2013124141.tif 000008
【図７】
2013124141.tif 000009
【図８】
2013124141.tif 000010
【図９】
2013124141.tif 000011